(57)【要約】【課題】ロックアームに電線が引っ掛かるのを防止することが可能なコネクタを提供する。【解決手段】ハウジング１０は、端子金具６０が挿入されるキャビティ１５を有するとともに、キャビティ１５の後端が開口して電線９０が引き出される電線引出面１７を有し、且つ、前後方向に延びて相手ハウジングを弾性的に係止することにより相手ハウジングを嵌合状態に保持するシーソ状のロックアーム１８を有する。さらに、ハウジング１０は、ロックアーム１８と電線引出面１７との間に位置して後方へ突出する突片３１を有し、突片３１の後端がロックアーム１８の後端及び電線引出面１７よりも後方に位置するようになっている。【選択図】図１
2013246915.tif 000002
【特許請求の範囲】
【請求項１】
電線の端末部に接続される端子金具と、
前記端子金具が挿入されるキャビティを有するとともに、前記キャビティの後端が開口して前記電線が引き出される電線引出面を有し、且つ、前後方向に延びて相手ハウジングを弾性的に係止することにより前記相手ハウジングを嵌合状態に保持するシーソ状のロックアームを有し、さらに、前記ロックアームと前記電線引出面との間に配置されて後方へ突出する突片を有し、前記突片の後端が前記ロックアームの後端及び前記電線引出面よりも後方に位置しているハウジングとを備えることを特徴とするコネクタ。
【請求項２】
前記ロックアームの後端が前記電線引出面よりも後方に位置していることを特徴とする請求項１記載のコネクタ。
【請求項３】
前記ハウジングは、前記突片を挟んだ幅方向両側に配置されて後方へ突出する一対の側壁を有し、前記一対の側壁の後端が前記ロックアームの後端及び前記電線引出面よりも後方に位置していることを特徴とする請求項１又は２記載のコネクタ。
【発明の詳細な説明】
【技術分野】
【０００１】
本発明は、コネクタに関する。
【背景技術】
【０００２】
特許文献１に開示されたコネクタは、端子金具を挿入可能なキャビティを有するハウジングを備えている。キャビティの後端はハウジングの電線引出面に開口しており、電線引出面から後方へ電線が引き出されるようになっている。また、ハウジングはロックアームを有し、ロックアームがシーソ状に揺動したあと相手ハウジングを弾性的に係止することにより、両ハウジングが嵌合状態に保持されるようになっている。
【先行技術文献】
【特許文献】
【０００３】
【特許文献１】特開２００２−１８４５２９号公報
【発明の概要】
【発明が解決しようとする課題】
【０００４】
上記従来のコネクタの場合、電線引出面から引き出された電線がロックアームの後端部に引っ掛かることがあり、その結果、ロックアームが折損、破損されたり、ロックアームの係止状態が不用意に解除されたりするおそれがあった。
【０００５】
本発明は上記のような事情に基づいて完成されたものであって、ロックアームに電線が引っ掛かるのを防止することが可能なコネクタを提供することを目的とする。
【課題を解決するための手段】
【０００６】
本発明のコネクタは、電線の端末部に接続される端子金具と、前記端子金具が挿入されるキャビティを有するとともに、前記キャビティの後端が開口して前記電線が引き出される電線引出面を有し、且つ、前後方向に延びて相手ハウジングを弾性的に係止することにより前記相手ハウジングを嵌合状態に保持するシーソ状のロックアームを有し、さらに、前記ロックアームと前記電線引出面との間に配置されて後方へ突出する突片を有し、前記突片の後端が前記ロックアームの後端及び前記電線引出面よりも後方に位置しているハウジングとを備えるところに特徴を有する。
【発明の効果】
【０００７】
ハウジングが突片を有し、突片がロックアームと電線引出面との間に配置されて後方へ突出し、突片の後端がロックアームの後端及び電線引出面よりも後方に位置しているため、電線引出面から引き出された電線が突片と干渉することでロックアーム側に回り込むのが阻止される。その結果、電線がロックアームに引っ掛かるのを防止することができる。
【図面の簡単な説明】
【０００８】
【図１】本発明の実施例１のコネクタの断面図である。
【図２】ハウジングの一部破断背面図である。
【図３】ハウジングの平面図である。
【発明を実施するための形態】
【０００９】
本発明は、次のような構成であってもよい。
ロックアームの後端が電線引出面よりも後方に位置している。このような構成であると、ロックアームの後端部に電線が引っ掛かり易いため、突片によって電線の引っ掛かりを防止することができるメリットは大きい。
【００１０】
ハウジングは、突片を挟んだ幅方向両側に配置されて後方へ突出する一対の側壁を有し、一対の側壁の後端がロックアームの後端及び電線引出面よりも後方に位置している。こうすると、電線や異物が幅方向外方からロックアームに引っ掛かるのを両側壁によって防止することができる。
【００１１】
＜実施例１＞
本発明の実施例１を図１〜図３によって説明する。実施例１のコネクタは、端子金具６０と、ハウジング１０とを備えている。
【００１２】
端子金具６０は、導電性の金属板を曲げ加工等して一体に成形され、図１に示すように、筒状の接続部６１と、接続部６１の後方に配置されたバレル部６２とを有している。接続部６１内には図示しない相手端子金具の雄タブが挿入され、挿入された雄タブが接続部６１内の図示しない舌片に接触することにより、両端子金具が電気的に接続されるようになっている。バレル部６２は、電線９０の端末部において被覆の除去により露出する芯線に圧着により接続されるとともに、被覆の外周面に嵌着されたゴム栓８０に圧着により接続されるようになっている。
【００１３】
ハウジング１０は合成樹脂製であって、図１に示すように、ブロック状のハウジング本体１１と、ハウジング本体１１の周囲を取り囲む筒状の嵌合筒部１２とを有している。ハウジング本体１１と嵌合筒部１２とは連結部１３を介して一体に連結され、ハウジング本体１１と嵌合筒部１２との間は嵌合空間１４として前方に開放されている。嵌合空間１４には、図示しない相手ハウジングのフードが前方から嵌合可能とされている。
【００１４】
ハウジング本体１１の内部には、複数のキャビティ１５が前後方向に延出して形成されている。各キャビティ１５の内面には撓み可能なランス１６が前方へ片持ち状に突出して形成されている。図１に示す場合、ランス１６は、上下二段のキャビティ１５にそれぞれ背合わせ状に配置されている。各キャビティ１５内には後方から端子金具６０が挿入され、挿入された端子金具６０はランス１６によって弾性的に係止されてキャビティ１５内に抜け止め状態で保持される。各キャビティ１５の略後半部は、略前半部よりも大径とされ、ここにゴム栓８０が収容される。ゴム栓８０の外周面はキャビティ１５の内周面に弾性的に密着し、これによってハウジング１０内が液密にシールされるようになっている。
【００１５】
また、図１及び図２に示すように、ハウジング本体１１の後面には、各キャビティ１５の後端が開口する電線引出面１７が形成されている。電線引出面１７は、ほぼ垂直に切り立って配置され、ハウジング本体１１の上面とほぼ直交して配置される。各キャビティ１５内に端子金具６０が挿入されると、各端子金具６０に接続された電線９０が電線引出面１７から外部に引き出されるようになっている。
【００１６】
ハウジング本体１１の上面には、図１に示すように、撓み可能なロックアーム１８が一体に連結されている。ロックアーム１８は、ハウジング本体１１の上面から立ち上がる脚部１９と、脚部１９の立ち上がり端から前後両方向に延びるアーム本体２１とを有している。アーム本体２１の下面の幅方向略中央部には、前後方向に延びて後端に開口するロック溝２２が形成されている。ハウジング１０が相手ハウジングに嵌合される途中では、アーム本体２１の前端部が相手ハウジングのロック部と干渉して、アーム本体２１が脚部１９を支点としてシーソ状に傾倒変位（揺動変位）させられる。ハウジング１０が図示しない相手ハウジングに正規嵌合されると、アーム本体２１が脚部１９を支点として弾性的に復帰し、それに伴いロック溝２２に相手ハウジングのロック部が嵌り込み、もって両ハウジングが離脱規制状態に保持されるようになっている。
【００１７】
ロックアーム１８の後端部には、ロック部との係止状態を解除する際に押圧される解除操作部２３が一段高く形成されている。また、ロックアーム１８の後端部の幅方向両端部には一対の可撓片２４が延出して形成されている。両可撓片２４の延出端はハウジング本体１１の上面に一体に連結されている。ロックアーム１８の後端は、ハウジング本体１１の電線引出面１７よりも後方に位置している。
【００１８】
図３に示すように、嵌合筒部１２の上壁の後端部には、窓部２５が開口して形成されている。ロックアーム１８のうち前端部を除く部分は窓部２５を通して外部に露出して配置されるようになっている。また、嵌合筒部１２における窓部２５を挟んだ幅方向両側には、一対の側壁２６が形成されている。両側壁２６は、窓部２５の前端から後方へ前後方向に沿って突出する板状の形態とされている。両側壁２６の後端は、ハウジング本体１１の電線引出面１７及びロックアーム１８の後端よりも後方に位置している。
【００１９】
具体的には両側壁２６は、高さ方向に沿った一対の縦壁２７と、両縦壁２７の上端の略後半部から内側に張り出す一対の庇壁２８とで構成されている。図２に示すように、両庇壁２８は、ロックアーム１８の後端部のうち解除操作部２３を挟んだ幅方向両側の部分と幅方向でラップして配置される。このため、ロックアーム１８の後端部が両庇壁２８に下方から当接することにより、ロックアーム１８の捲れ上がりが阻止されるようになっている。
【００２０】
また、ハウジング本体１１の後端の幅方向略中央部には、突片３１が後方へ突出して形成されている。突片３１は、高さ方向に関してロックアーム１８と電線引出面１７との間に配置されている。突片３１の後端は、ハウジング本体１１の電線引出面１７及びロックアーム１８の後端よりも後方に位置し、両側壁２６の後端とほぼ同じ前後位置に位置している。突片３１の前後長（電線引出面１７からの突出寸法）は、解除操作部２３の前後長より長くされている。
【００２１】
具体的には突片３１は、前後方向に沿って延びる帯板状の本体部３２と、本体部３２の幅方向両端縁から小さく突出し且つ前後方向の略全長に亘って延びる一対のリブ３３とで構成されている。また、図２に示すように、突片３１は、背面から見た場合にロックアーム１８の下面の幅方向略中央部とハウジング本体１１の幅方向中央部との間に位置しており、両側壁２６とは幅方向でラップしない位置に配置されている。解除操作部２３を押圧操作すると、ロックアーム１８の後端が突片３１の両リブ３３と干渉し、ロックアーム１８がそれ以上過度に傾倒変位するのが規制されるようになっている。
【００２２】
次に、実施例１のコネクタの作用効果を説明する。
ハウジング本体１１の各キャビティ１５内に後方から端子金具６０が挿入されると、各端子金具６０がランス１６によって弾性的に係止されるとともに、各ゴム栓８０がキャビティ１５の略後半部に液密に保持され、且つ、各電線９０が電線引出面１７から後方へ引き出される。続いて、ハウジング１０が相手ハウジングに嵌合されると、各キャビティ１５内の端子金具６０が相手端子金具と導通接続される。このとき、突片３１の後端及び両側壁２６の後端を親指等の指で前方へ押圧することにより、両ハウジングの嵌合動作を円滑に進めることが可能になっている。
【００２３】
ところで、仮に、各キャビティ１５から引き出された電線９０が上方へ持ち上げられても、持ち上げられた電線９０は突片３１と干渉することにより、ロックアーム１８の位置する側に回り込むのが阻止される。こうしてロックアーム１８に電線９０が引っ掛かるのが防止される結果、ロックアーム１８が折損、破損されるのが回避される。また、各キャビティ１５から引き出された電線９０が上方で且つ幅方向外方からロックアーム１８側に振られる等しても、該電線９０が両側壁２６と干渉することにより、ロックアーム１８に電線９０が当接するのが防止される。
【００２４】
また、ロックアーム１８の後端部の周囲は、両側壁２６及び突片３１によって包囲され、両側壁２６と突片３１との間には作業者の指が進入不能な隙間が介在するに過ぎないため、電線９０以外の外部異物もロックアーム１８の後端部に当接するのが防止される。したがって、実施例１によれば、ロックアーム１８の解除操作部２３が電線９０や外部異物によって不用意に解除操作されるのが防止され、ロックアーム１８の撓み動作の確実性が保障される。
【００２５】
また、従来、両ハウジングの嵌合時に、ロックアーム１８の後端部とハウジング１０の上面との間に作業者の軍手が挟まることがあったが、実施例１によれば、突片３１によってロックアーム１８の後端部に作業者の指が当接するのが防止されるため、かかる軍手の挟み込みが確実に回避される。さらに、ロックアーム１８の後端部に手指が当接するのが防止されることにより、両ハウジングの嵌合時に、ロックアーム１８が相手側のロック部と当接する際のロック音を確実に鳴らすことができ、嵌合検知の信頼性が高められる。
【００２６】
さらにまた、突片３１及び両側壁２６の形成範囲が各電線９０の引き出し領域と前後方向でラップするため、突片３１及び両側壁２６が後方へ突出するという事情があっても、車両レイアウト上で支障を来すおそれは少ない。
【００２７】
本発明は、上記実施例１に限定されるものではなく、例えば次のような態様であってもよい。
（１）両側壁の突出寸法が突片の突出寸法よりも短く、両側壁の後端が突片の後端より前方に位置していてもよい。逆に、両側壁の突出寸法が突片の突出寸法よりも長く、両側壁の後端が突片の後端より後方に位置していてもよい。
（２）両側壁を省略してもよい。
（３）突片がロックアームの後端部を全幅に亘って覆う大きさで構成されるものであってもよい。
（４）本発明は、前方に雄タブを突成させた雄端子金具が収容される雄側ハウジングを備えるコネクタにも適用可能である。
【符号の説明】
【００２８】
１０…ハウジング
１５…キャビティ
１７…電線引出面
１８…ロックアーム
２６…側壁
３１…突片
６０…端子金具
９０…電線
【図１】
2013246915.tif 000003
【図２】
2013246915.tif 000004
【図３】
2013246915.tif 000005